(57)【要約】ウェアラブルデバイスにワイヤレスにリンクされているモバイル局は、ウェアラブルデバイスからロケーションセッションを開始することを求める要求を受信し、例えば、それは、緊急呼の形式でありうる。モバイル局は、例えば、ウェアラブルデバイスがモバイル局に近接しているかどうかを決定することによって、モバイル局のロケーションがウェアラブルデバイスのロケーションとして使用されうるかどうかを決定する。例えば、モバイル局は、モバイル局がワイヤレスパーソナルエリアネットワーク（ＷＰＡＮ）を通じてウェアラブルデバイスにワイヤレスにリンクされているかどうかを確かめるためにチェックしうる。モバイル局は、ロケーションサーバとのウェアラブルデバイスのためのロケーションセッションを開始する。モバイル局のロケーションがウェアラブルデバイスのロケーションとして使用されないことがありうる場合、ウェアラブルデバイスのためのロケーションセッションは、モバイル局から取得される位置情報を使用しない。【選択図】図４
2019532575.tif 000002
【特許請求の範囲】
【請求項１】
ウェアラブルデバイスのためのロケーション決定の方法であって、前記方法は、
モバイル局が、前記ウェアラブルデバイスからロケーションセッションを開始することを求める要求を受信することと、前記モバイル局は、前記ウェアラブルデバイスとワイヤレスにリンクされている、
前記モバイル局が、前記モバイル局についてのロケーションフィックスが前記ウェアラブルデバイスについてのロケーションフィックスとして使用されないことがありうると決定することと、
前記モバイル局が、ロケーションサーバとの前記ウェアラブルデバイスのための前記ロケーションセッションを開始することと、ここにおいて、前記ウェアラブルデバイスのための前記ロケーションセッションは、前記モバイル局からの位置情報を使用しない、
を備える、方法。
【請求項２】
前記モバイル局が、前記ウェアラブルデバイスから位置情報を受信することと、
前記モバイル局が、前記ウェアラブルデバイスからの前記位置情報を前記ロケーションサーバに送信することと
をさらに備える、請求項１に記載の方法。
【請求項３】
前記ウェアラブルデバイスからの前記位置情報は、ワイヤレスパーソナルエリアネットワーク（ＷＰＡＮ）データ、ワイヤレスローカルエリアネットワーク（ＷＬＡＮ）データ、ワイヤレスワイドエリアネットワーク（ＷＷＡＮ）データ、衛星測位システム（ＳＰＳ）データ、センサデータ、位置フィックスまたはそれらの組み合わせを備える、請求項２に記載の方法。
【請求項４】
前記位置情報は、アクセスポイント、ルータ、ブリッジ、フェムトセル、Ｂｌｕｅｔｏｏｔｈ送信機、ピコセル、スモールセル、無線周波数識別（ＲＦＩＤ）、可視光通信（ＶＬＣ）、基地局、またはそれらの組み合わせのうちの１つまたは複数からの受信信号強度インジケータ（ＲＳＳＩ）またはラウンドトリップ時間（ＲＴＴ）測定値のうちの少なくとも１つを備える、請求項３に記載の方法。
【請求項５】
前記方法は、前記ロケーションサーバから前記モバイル局をドロップし、前記ウェアラブルデバイスに前記ロケーションセッション中に前記ロケーションサーバと直接ワイヤレスに通信させることをさらに備える、請求項１に記載の方法。
【請求項６】
前記モバイル局が、前記モバイル局についての前記ロケーションフィックスが前記ウェアラブルデバイスについての前記ロケーションフィックスとして使用されないことがありうると決定することは、前記ウェアラブルデバイスがワイヤレスパーソナルエリアネットワーク（ＷＰＡＮ）を通じて前記モバイル局に直接ワイヤレスにリンクされていないと決定することを備える、請求項１に記載の方法。
【請求項７】
前記モバイル局が、前記モバイル局についての前記ロケーションフィックスが前記ウェアラブルデバイスについての前記ロケーションフィックスとして使用されないことがありうると決定することは、前記ウェアラブルデバイスがワイヤレスローカルエリアネットワーク（ＷＬＡＮ）ネットワーク中の同じアクセスポイントを通じて前記モバイル局にワイヤレスにリンクされていないと決定することを備える、請求項１に記載の方法。
【請求項８】
前記モバイル局が、前記モバイル局についての前記ロケーションフィックスが前記ウェアラブルデバイスについての前記ロケーションフィックスとして使用されないことがありうると決定することは、前記モバイル局が前記ウェアラブルデバイスのユーザと一緒ではないと決定するために前記モバイル局中のセンサを使用することを備える、請求項１に記載の方法。
【請求項９】
前記モバイル局が前記ウェアラブルデバイスの前記ユーザと一緒ではないと決定するために前記モバイル局中の前記センサを使用することは、前記モバイル局が前記ユーザによって持たれていないと決定するために動きセンサを使用すること、または前記モバイル局が前記ウェアラブルデバイスと同じ環境中にないと決定するためにカメラセンサを使用することを備える、請求項８に記載の方法。
【請求項１０】
前記ウェアラブルデバイスからの前記ロケーションセッションを開始することを求める前記要求は、前記ウェアラブルデバイスからの緊急呼を備える、請求項１に記載の方法。
【請求項１１】
ウェアラブルデバイスのロケーション決定のためのモバイル局であって、前記モバイル局は、
ロケーションサーバとのワイヤレス通信が可能であるワイヤレストランシーバと、
前記ワイヤレストランシーバに結合された少なくとも１つのプロセッサと
を備え、前記少なくとも１つのプロセッサは、前記モバイル局とワイヤレスにリンクされている前記ウェアラブルデバイスからロケーションセッションを開始することを求める要求を受信することと、前記モバイル局についてのロケーションフィックスが前記ウェアラブルデバイスについてのロケーションフィックスとして使用されないことがありうると決定することと、前記ワイヤレストランシーバを通じて前記ロケーションサーバとの前記ウェアラブルデバイスのための前記ロケーションセッションを開始することとを行うように構成され、前記ウェアラブルデバイスのための前記ロケーションセッションは、前記モバイル局からの位置情報を使用しない、モバイル局。
【請求項１２】
ワイヤレスローカルエリアネットワーク（ＷＬＡＮ）トランシーバをさらに備え、前記ウェアラブルデバイスは、前記ＷＬＡＮトランシーバを通じて前記モバイル局とワイヤレスにリンクされており、
前記少なくとも１つのプロセッサは、前記ＷＬＡＮトランシーバにさらに結合され、および前記ＷＬＡＮトランシーバを通じて前記ウェアラブルデバイスから位置情報を受信することと、前記ワイヤレストランシーバに、前記ウェアラブルデバイスからの前記位置情報を前記ロケーションサーバに送信することを行わせることとを行うようにさらに構成される、請求項１１に記載のモバイル局。
【請求項１３】
前記ウェアラブルデバイスからの前記位置情報は、ワイヤレスパーソナルエリアネットワーク（ＷＰＡＮ）データ、ワイヤレスローカルエリアネットワーク（ＷＬＡＮ）データ、ワイヤレスワイドエリアネットワーク（ＷＷＡＮ）データ、衛星測位システム（ＳＰＳ）データ、センサデータ、位置フィックスまたはそれらの組み合わせを備える、請求項１２に記載のモバイル局。
【請求項１４】
前記位置情報は、アクセスポイント、ルータ、ブリッジ、フェムトセル、Ｂｌｕｅｔｏｏｔｈ送信機、ピコセル、スモールセル、無線周波数識別（ＲＦＩＤ）、および可視光通信（ＶＬＣ）、基地局、またはそれらの組み合わせのうちの１つまたは複数からの受信信号強度インジケータ（ＲＳＳＩ）またはラウンドトリップ時間（ＲＴＴ）測定値のうちの少なくとも１つを備える、請求項１３に記載のモバイル局。
【請求項１５】
前記少なくとも１つのプロセッサは、前記ワイヤレストランシーバに、前記ロケーションサーバから前記モバイル局をドロップし、前記ウェアラブルデバイスに前記ロケーションセッション中に前記ロケーションサーバと直接ワイヤレスに通信させることを行わせるようにさらに構成される、請求項１１に記載のモバイル局。
【請求項１６】
前記モバイル局を直接前記ウェアラブルデバイスとワイヤレスにリンクすることが可能であるワイヤレスパーソナルエリアネットワーク（ＷＰＡＮ）トランシーバをさらに備え、
前記少なくとも１つのプロセッサは、前記ＷＰＡＮトランシーバにさらに結合され、および前記モバイル局が前記ＷＰＡＮトランシーバを通じて前記ウェアラブルデバイスにワイヤレスにリンクされていないと決定するように構成されることによって、前記モバイル局についての前記ロケーションフィックスが前記ウェアラブルデバイスについての前記ロケーションフィックスとして使用されないことがありうると決定するようにさらに構成される、請求項１１に記載のモバイル局。
【請求項１７】
ワイヤレスローカルエリアネットワーク（ＷＬＡＮ）ネットワークにワイヤレスにリンクすることが可能であるＷＬＡＮトランシーバをさらに備え、
前記少なくとも１つのプロセッサは、前記ＷＬＡＮトランシーバにさらに結合され、および前記モバイル局が前記ＷＬＡＮネットワーク中の同じアクセスポイントを通じて前記ウェアラブルデバイスにワイヤレスにリンクされていないと決定するように構成されることによって、前記モバイル局についての前記ロケーションフィックスが前記ウェアラブルデバイスについての前記ロケーションフィックスとして使用されないことがありうると決定するようにさらに構成される、請求項１１に記載のモバイル局。
【請求項１８】
動きセンサとカメラセンサとのうちの少なくとも１つをさらに備え、
前記少なくとも１つのプロセッサは、前記動きセンサと前記カメラセンサとのうちの前記少なくとも１つからデータを受信するようにさらに結合され、および前記動きセンサからの前記データに基づいて前記モバイル局がユーザによって持たれていない、または前記カメラセンサからの前記データに基づいて前記モバイル局が前記ウェアラブルデバイスと同じ環境中にないと決定するように構成されることによって、前記モバイル局についての前記ロケーションフィックスが前記ウェアラブルデバイスについての前記ロケーションフィックスとして使用されないことがありうると決定するようにさらに構成される、請求項１１に記載のモバイル局。
【請求項１９】
前記ウェアラブルデバイスからの前記ロケーションセッションを開始することを求める前記要求は、前記ウェアラブルデバイスからの緊急呼を備える、請求項１１に記載のモバイル局。
【請求項２０】
ウェアラブルデバイスのロケーション決定のためのモバイル局であって、前記モバイル局は、
前記モバイル局が、前記ウェアラブルデバイスからロケーションセッションを開始することを求める要求を受信するための手段と、前記モバイル局は、前記ウェアラブルデバイスとワイヤレスにリンクされている、
前記モバイル局が、前記モバイル局についてのロケーションフィックスが前記ウェアラブルデバイスについてのロケーションフィックスとして使用されないことがありうると決定するための手段と、
前記モバイル局が、ロケーションサーバとの前記ウェアラブルデバイスのための前記ロケーションセッションを開始するための手段と、ここにおいて、前記ウェアラブルデバイスのための前記ロケーションセッションは、前記モバイル局からの位置情報を使用しない、
を備える、モバイル局。
【請求項２１】
前記モバイル局が、前記ウェアラブルデバイスから位置情報を受信するための手段と、
前記モバイル局が、前記ウェアラブルデバイスからの前記位置情報を前記ロケーションサーバに送信するための手段と
をさらに備える、請求項２０に記載のモバイル局。
【請求項２２】
前記ロケーションサーバから前記モバイル局をドロップし、前記ウェアラブルデバイスに前記ロケーションセッション中に前記ロケーションサーバと直接ワイヤレスに通信させるための手段をさらに備える、請求項２０に記載のモバイル局。
【請求項２３】
前記モバイル局についての前記ロケーションフィックスが前記ウェアラブルデバイスについての前記ロケーションフィックスとして使用されないことがありうると前記決定するための手段は、前記ウェアラブルデバイスがワイヤレスパーソナルエリアネットワーク（ＷＰＡＮ）を通じて前記モバイル局に直接ワイヤレスにリンクされていないと決定するための手段を備える、請求項２０に記載のモバイル局。
【請求項２４】
前記モバイル局についての前記ロケーションフィックスが前記ウェアラブルデバイスについての前記ロケーションフィックスとして使用されないことがありうると前記決定するための手段は、前記ウェアラブルデバイスがＷＬＡＮ（ワイヤレスローカルエリアネットワーク）ネットワーク中の同じアクセスポイントを通じて前記モバイル局にワイヤレスにリンクされていないと決定するための手段を備える、請求項２０に記載のモバイル局。
【請求項２５】
ウェアラブルデバイスのロケーション決定のための非一時的コンピュータ可読媒体であって、前記非一時的コンピュータ可読媒体は、そこに記憶されたプログラムコードを含み、
モバイル局が、前記ウェアラブルデバイスからロケーションセッションを開始することを求める要求を受信するためのプログラムコードと、前記モバイル局は、前記ウェアラブルデバイスとワイヤレスにリンクされている、
前記モバイル局が、前記モバイル局についてのロケーションフィックスが前記ウェアラブルデバイスについてのロケーションフィックスとして使用されないことがありうると決定するためのプログラムコードと、
前記モバイル局が、ロケーションサーバとの前記ウェアラブルデバイスのための前記ロケーションセッションを開始するためのプログラムコードと、ここにおいて、前記ウェアラブルデバイスのための前記ロケーションセッションは、前記モバイル局からの位置情報を使用しない、
を備える、非一時的コンピュータ可読媒体。
【請求項２６】
前記モバイル局が、前記ウェアラブルデバイスから位置情報を受信するためのプログラムコードと、
前記モバイル局が、前記ウェアラブルデバイスからの前記位置情報を前記ロケーションサーバに送信するためのプログラムコードと
をさらに備える、請求項２５に記載の非一時的コンピュータ可読媒体。
【請求項２７】
前記ロケーションサーバから前記モバイル局をドロップし、前記ウェアラブルデバイスに前記ロケーションセッション中に前記ロケーションサーバと直接ワイヤレスに通信させるためのプログラムコードをさらに備える、請求項２５に記載の非一時的コンピュータ可読媒体。
【請求項２８】
前記モバイル局が、前記モバイル局についての前記ロケーションフィックスが前記ウェアラブルデバイスについての前記ロケーションフィックスとして使用されないことがありうると決定するための前記プログラムコードは、前記ウェアラブルデバイスがワイヤレスパーソナルエリアネットワーク（ＷＰＡＮ）を通じて前記モバイル局に直接ワイヤレスにリンクされていないと決定するためのプログラムコードを備える、請求項２５に記載の非一時的コンピュータ可読媒体。
【請求項２９】
前記モバイル局が、前記モバイル局についての前記ロケーションフィックスが前記ウェアラブルデバイスについての前記ロケーションフィックスとして使用されないことがありうると決定するための前記プログラムコードは、前記ウェアラブルデバイスがＷＬＡＮ（ワイヤレスローカルエリアネットワーク）ネットワーク中の同じアクセスポイントを通じて前記モバイル局にワイヤレスにリンクされていないと決定するためのプログラムコードを備える、請求項２５に記載の非一時的コンピュータ可読媒体。
【発明の詳細な説明】
【米国特許法第１１９条に基づく優先権の主張】
【０００１】
[0001]本願は、米国特許法１１９条の下で、２０１６年９月１９日に出願され、「METHOD AND APPARATUS FOR TO DETERMINE THE LOCATION OF A WEARABLE DEVICE」と題された米国非仮特許出願第１５／２６９，２９７号の利益および優先権を主張し、それは、本願の譲受人に譲渡され、その全体が参照によってここに組み込まれる。
【技術分野】
【０００２】
[0002]ここに開示されている主題は、電子デバイスに関し、より詳細には、リモートにロケートされたモバイル局にワイヤレスにリンクされているウェアラブルデバイスについての正しいロケーションを決定する際に使用するための方法および装置に関する。
【背景技術】
【０００３】
[0003]ウェアラブルデバイスは、コンピューティング、ユーザインターフェーシング、およびワイヤレス接続性のような電子技術を組み込むアクセサリおよびクロージングである。ウェアラブルデバイスは、様々な機能を遂行すべく協調する、またはデータを交換するために、ユーザのモバイル電話のような他のデバイスにワイヤレスに接続しうる。ウェアラブルデバイスの例は、ほんの数例を挙げると、例えば、スマートウォッチ、デジタル眼鏡、およびフィットネスモニタを含む。ウェアラブルデバイスの多くのアプリケーションのうちの１つは、ユーザのための通信プラットフォームである。ウェアラブルデバイスは、例えば、テキストまたは電話を介して通信するために使用されうる。
【０００４】
[0004]ウェアラブル技術のための市場が急速に成長するに伴い、ウェアラブルデバイスからの緊急呼を扱うようなシナリオが増大するであろう。米国連邦通信委員会（ＦＣＣ）によって義務付けられているように、ほとんどのワイヤレスキャリアは、Ｅ９１１（拡張９１１（Enhanced 911））呼中に正確な測位を支援するために、補助（assisted）全地球測位システム（ＧＰＳ）プロトコルを展開している。
【０００５】
[0005]しかしながら、例えば、ユーザがＥ９１１呼を掛ける、またはショートメッセージサービス（ＳＭＳ）テキストトゥ９１１（text-to-911）メッセージを送る、あるいはそうでない場合はウェアラブルデバイスとのロケーションセッションを要求するとき、ウェアラブルデバイスを介してユーザのロケーションを決定することに関連する問題が存在する。
【０００６】
[0006]重大な問題は、ウェアラブルデバイスがＷｉ−Ｆｉのようなワイヤレスローカルエリアネットワーク（ＷＬＡＮ）を通じて、モバイル局、すなわち、ユーザのモバイル電話に接続しうることであり、およびこのことから、緊急呼／テキストがなされるか、または非緊急ロケーションセッションが要求されるときに、ウェアラブルデバイスがモバイル局付近にないことがありうる、ということである。モバイル局は、ワイヤレスワイドエリアネットワーク（ＷＷＡＮ）、すなわち、セルラネットワークに接続し、およびＥ９１１呼またはテキスト、あるいは非緊急ロケーションセッションを実際に開始する。結果として、ロケーションセッションは、モバイル局の位置に基づくことになるが、その一方で、ウェアラブルデバイスおよびユーザは、異なるロケーション中に存在しうる。その結果として、不正確なロケーションが、緊急応答機関（ＰＳＡＰ：the public-safety answering point）またはロケーションサーバにレポートされうる。
【発明の概要】
【０００７】
[0007]ウェアラブルデバイスにワイヤレスにリンクされているモバイル局は、ウェアラブルデバイスからロケーションセッションを開始することを求める要求を受信し、例えば、それは、緊急呼の形式でありうる。モバイル局は、例えば、ウェアラブルデバイスがモバイル局に近接しているかどうかを決定することによって、モバイル局のロケーションがウェアラブルデバイスのロケーションとして使用されうるかどうかを決定する。例えば、モバイル局は、モバイル局がワイヤレスパーソナルエリアネットワーク（ＷＰＡＮ）を通じてウェアラブルデバイスにワイヤレスにリンクされているかどうかを確かめるためにチェックしうる。モバイル局は、ロケーションサーバとのウェアラブルデバイスのためのロケーションセッションを開始する。モバイル局のロケーションがウェアラブルデバイスのロケーションとして使用されないことがありうる場合、ウェアラブルデバイスのためのロケーションセッションは、モバイル局から取得される位置情報を使用しない。
【０００８】
[0008]１つのインプリメンテーションでは、ウェアラブルデバイスのためのロケーション決定の方法は、モバイル局が、ウェアラブルデバイスからロケーションセッションを開始することを求める要求を受信することと、モバイル局は、ウェアラブルデバイスとワイヤレスにリンクされており、モバイル局が、モバイル局についてのロケーションフィックス（fix）がウェアラブルデバイスについてのロケーションフィックスとして使用されないことがありうると決定することと、モバイル局が、ロケーションサーバとのウェアラブルデバイスのためのロケーションセッションを開始することとを含み、ウェアラブルデバイスのためのロケーションセッションは、モバイル局からの位置情報を使用しない。
【０００９】
[0009]１つのインプリメンテーションでは、ウェアラブルデバイスのロケーション決定のためのモバイル局は、ロケーションサーバとのワイヤレス通信が可能であるワイヤレストランシーバと、ワイヤレストランシーバに結合された少なくとも１つのプロセッサとを含み、少なくとも１つのプロセッサは、モバイル局によってワイヤレスにリンクされているウェアラブルデバイスからロケーションセッションを開始することを求める要求を受信することと、モバイル局についてのロケーションフィックスがウェアラブルデバイスについてのロケーションフィックスとして使用されないことがありうると決定することと、ワイヤレストランシーバを通じてロケーションサーバとのウェアラブルデバイスのためのロケーションセッションを開始することとを行うように構成され、ウェアラブルデバイスのためのロケーションセッションは、モバイル局からの位置情報を使用しない。
【００１０】
[0010]１つのインプリメンテーションでは、ウェアラブルデバイスのロケーション決定のためのモバイル局は、モバイル局が、ウェアラブルデバイスからロケーションセッションを開始することを求める要求を受信するための手段と、モバイル局は、ウェアラブルデバイスとワイヤレスにリンクされており、モバイル局が、モバイル局についてのロケーションフィックスがウェアラブルデバイスについてのロケーションフィックスとして使用されないことがありうると決定するための手段と、モバイル局が、ロケーションサーバとのウェアラブルデバイスのためのロケーションセッションを開始するための手段とを含み、ウェアラブルデバイスのためのロケーションセッションは、モバイル局からの位置情報を使用しない。
【００１１】
[0011]１つのインプリメンテーションでは、ウェアラブルデバイスのロケーション決定のための非一時的コンピュータ可読媒体は、モバイル局が、ウェアラブルデバイスからロケーションセッションを開始することを求める要求を受信するためのプログラムコードと、モバイル局は、ウェアラブルデバイスとワイヤレスにリンクされており、モバイル局が、モバイル局についてのロケーションフィックスがウェアラブルデバイスについてのロケーションフィックスとして使用されないことがありうると決定するためのプログラムコードと、モバイル局が、ロケーションサーバとのウェアラブルデバイスのためのロケーションセッションを開始するためのプログラムコードとを含み、ウェアラブルデバイスのためのロケーションセッションは、モバイル局からの位置情報を使用しない。
【００１２】
[0012]非限定的且つ非網羅的な態様が、以下の図面を参照して説明され、ここにおいて、同様の参照番号は、そうでないと規定されない限り、様々な図面全体を通じて同様の部分を指す。
【図面の簡単な説明】
【００１３】
【図１】モバイル局およびロケーションサーバとのワイヤレス通信中のウェアラブルデバイスのロケーションサポートのためのネットワークアーキテクチャを例示する図である。
【図２】モバイル局およびロケーションサーバを使用するウェアラブルデバイスのためのロケーションセッションを例示する呼フローである。
【図３】モバイル局およびロケーションサーバを使用するウェアラブルデバイスのためのロケーションセッションを例示する別の呼フローであり、それにおいて、ウェアラブルデバイスからの位置情報は、ロケーションサーバに直接提供される。
【図４】ウェアラブルデバイスのためのロケーション決定の方法を例示するフローチャートである。
【図５】ウェアラブルデバイスのためのロケーション決定の別の方法を例示するフローチャートであり、それにおいて、ウェアラブルデバイスからの位置情報は、モバイル局を通じてロケーションサーバに提供される。
【図６】ウェアラブルデバイスのためのロケーション決定の別の方法を例示するフローチャートであり、それにおいて、ウェアラブルデバイスからの位置情報は、ロケーションサーバに直接提供される。
【図７】モバイル局についてのロケーションフィックスがウェアラブルデバイスについてのロケーションフィックスとして使用されないことがありうるかどうかを決定することと、ウェアラブルデバイスのロケーションを決定するためのロケーションセッションを開始することとが可能であるモバイル局のブロック図である。
【図８】ウェアラブルデバイスのロケーションを決定するためのロケーションセッションを開始するためにモバイル局と通信することが可能であるウェアラブルデバイスのブロック図である。
【詳細な説明】
【００１４】
[0021]図１は、ウェアラブルデバイス１００と同じロケーション中にないモバイル局１１０とワイヤレス通信中であるウェアラブルデバイス１００のロケーションサポートのためのネットワークアーキテクチャを例示する図である。例示されているように、ウェアラブルデバイス１００は、例えば、ワイヤレスローカルエリアネットワーク（ＷＬＡＮ）、例えば、ＩＥＥＥ８０２．１１ネットワークでありうる、ウェアラブルデバイス１００とローカルトランシーバ１２０との間のワイヤレスリンク１１８を通じて、例えば、ＷＬＡＮでありうる、モバイル局１１０とローカルトランシーバ１３０との間のワイヤレスリンク１２８、および１つまたは複数のワイヤレスリンクまたはインターネットでありうる、ローカルトランシーバ１２０と１３０との間のワイヤレス通信リンク１４０を通じて、モバイル局１１０との間接的なワイヤレス接続を有する。例えば、モバイル局１１０とセルラトランシーバ１５０との間のワイヤレスリンク１４８、およびワイヤレス通信リンク１４０とセルラトランシーバ１５０へのワイヤレスワイドエリアネットワーク（ＷＷＡＮ）通信リンク１６０との間のワイヤレス通信リンク１５８によって例示されている１つまたは複数のＷＷＡＮを含む、ウェアラブルデバイス１００とモバイル局１１０との間での他の間接的なワイヤレス接続が可能である。いくつかのインプリメンテーションでは、ウェアラブルデバイス１００とモバイル局１１０との間での間接的なワイヤレス接続は、例えば、ウェアラブルデバイス１００とローカルトランシーバ１２０との間のワイヤレスリンク１１８、およびモバイル局１１０とローカルトランシーバ１２０との間のワイヤレスリンク１１９によって例示されているようなＷＬＡＮ中の同じローカルトランシーバを通じうる。加えて、ウェアラブルデバイス１００自体は、例えば、セルラトランシーバ１５２へのワイヤレスリンク１５１またはセルラトランシーバ１５０へのワイヤレスリンク（図示せず）を通じてＷＷＡＮネットワークにワイヤレスに結合されうる。
【００１５】
[0022]ウェアラブルデバイス１００とモバイル局１１０とは、ウェアラブルデバイス１００とモバイル局１１０とが互いに近接している場合に、Ｂｌｕｅｔｏｏｔｈ（登録商標）のようなワイヤレスパーソナルエリアネットワーク（ＷＰＡＮ）または短距離通信技術を使用して互いと直接ワイヤレスにリンクされることが可能である。図１は、しかしながら、リモートにロケートされている、すなわち、互いに近接していないものとしてウェアラブルデバイス１００とモバイル局１１０とを例示しており、およびそれ故にウェアラブルデバイス１００とモバイル局１１０とは、短距離通信技術またはＷＰＡＮを使用して互いと直接ワイヤレスにリンクされることができず、代わりに、例示されているように、複数のワイヤレスリンクを介して互いに間接的にリンクされている。概して、近接は、ここに使用される場合、短距離通信技術またはＷＰＡＮがウェアラブルデバイス１００をモバイル局１１０とリンクするために使用されうるほどに、ウェアラブルデバイス１００がモバイル局１１０に十分に近いことを示す。いくつかのインプリメンテーションでは、例えば、ローカルトランシーバ１２０が限定されたカバレッジエリアを有する場合、ウェアラブルデバイス１００とモバイル局１１０とは、それらが同じローカルトランシーバ１２０を通じて接続されている場合には互いに近接していると見なされうる。しかしながら、ローカルトランシーバ１２０が位置フィックスの所望される正確性と比較して大きいカバレッジエリアを有する場合のような他のインプリメンテーションでは、ウェアラブルデバイス１００とモバイル局１１０とは、それらが同じローカルトランシーバ１２０を通じて接続されているときには互いに近接していると見なされないことがありうる。ウェアラブルデバイス１００とモバイル局１１０とが近接していないとき、ウェアラブルデバイス１００とモバイル局１１０とは、同じロケーションになく、実際には、モバイル局１１０に対するウェアラブルデバイス１００のロケーションは、未知でありうる。その結果として、ウェアラブルデバイス１００とモバイル局１１０とが近接していないとき、モバイル局１１０についてのロケーションフィックスは、それら２つの間に大きい未知の距離が存在していることから、ウェアラブルデバイス１００のロケーションフィックスとして使用されないことがありうる。
【００１６】
[0023]ウェアラブルデバイス１００は、腕時計として例示されているが、ユーザがインターフェースしえ、且つ、例えば、ＷＬＡＮネットワーク、例えば、ＩＥＥＥ８０２．１１、短距離通信技術、ＷＰＡＮネットワーク、例えば、Ｂｌｕｅｔｏｏｔｈ（登録商標）、またはセルラ通信ネットワークのようなＷＷＡＮネットワークを通じてモバイル局１１０とワイヤレスに通信する、任意のウェアラブル技術デバイスでありうる。例えば、ウェアラブルデバイス１００は、眼鏡、リストバンド、クロージング、ジュエリ、ヘルメット、等のようなウェアラブルデバイスでありうる。ウェアラブルデバイス１００は、ローカルトランシーバ１２０、セルラトランシーバ１５２または他のトランシーバデバイスにワイヤレス信号を送信、あるいはそれらからワイヤレス信号を受信しうる。ローカルトランシーバ１２０は、例えば、アクセスポイント（ＡＰ）と、ルータと、ブリッジと、Ｂｌｕｅｔｏｏｔｈ送信機と、無線周波数識別（ＲＦＩＤ：radio-frequency identification）と、可視光通信（ＶＬＣ：visual light communication）とを備え、およびウェアラブルデバイス１００がモバイル局１１０にワイヤレスに接続されうるＷＬＡＮまたはＷＰＡＮネットワークへのアクセスを提供しうる。セルラトランシーバ１５２は、例えば、フェムトセル、ピコセル、スモールセル、ワイヤレスベーストランシーバサブシステム（ＢＴＳ）、ノードＢまたは発展型ノードＢ（ｅノードＢ）を備え、およびウェアラブルデバイス１００がモバイル局１１０にワイヤレスに接続されうるＷＷＡＮネットワークへのアクセスを提供しうる。当然ながら、これらは単にワイヤレスリンクを通してウェアラブルデバイス１００と通信しうるネットワークの例に過ぎず、特許請求される主題はこの点において限定されないことが理解されるべきである。
【００１７】
[0024]モバイル局１１０は、デバイス、ワイヤレスデバイス、モバイル端末、端末、モバイル局（ＭＳ）、ユーザ機器（ＵＥ）、ＳＵＰＬ対応端末（ＳＥＴ：a SUPL Enabled Terminal）として、または何らかの他の名称で呼ばれえ、および携帯電話、スマートフォン、ラップトップ、タブレット、ＰＤＡ、トラッキングデバイスあるいはウェアラブルデバイス１００とワイヤレスに通信することが可能である何らかの他のポータブルまたは移動可能デバイスに対応しうる。モバイル局１１０は、それぞれローカルトランシーバ１３０またはセルラトランシーバ１５０とのワイヤレスリンク１２８または１４８によって、ＷＬＡＮネットワーク、例えば、ＩＥＥＥ８０２．１１、短距離通信技術、ＷＰＡＮネットワーク、例えば、Ｂｌｕｅｔｏｏｔｈ（登録商標）、またはセルラ通信ネットワークのようなＷＷＡＮネットワークにアクセスすることが可能である。上述されたローカルトランシーバ１２０と同様に、ローカルトランシーバ１３０は、例えば、アクセスポイント（ＡＰ）と、ルータと、ブリッジと、Ｂｌｕｅｔｏｏｔｈ送信機と、無線周波数識別（ＲＦＩＤ）と、可視光通信（ＶＬＣ）とを備え、およびモバイル局１１０がウェアラブルデバイス１００にワイヤレスに接続されうるＷＬＡＮまたはＷＰＡＮネットワークへのアクセスを提供しうる。その上、セルラトランシーバ１５０は、例えば、フェムトセル、ピコセル、スモールセル、ワイヤレスベーストランシーバサブシステム（ＢＴＳ）、ノードＢまたは発展型ノードＢ（ｅノードＢ）を備え、およびモバイル局１１０がウェアラブルデバイス１００にワイヤレスに接続されうるＷＷＡＮネットワークへのアクセスを提供しうる。当然ながら、これらは単にワイヤレスリンクを通してウェアラブルデバイス１００と通信しうるネットワークの例に過ぎず、特許請求される主題はこの点において限定されないことが理解されるべきである。
【００１８】
[0025]セルラトランシーバ１５０および１５２とのワイヤレスリンク１４８および１５１をサポートしうるネットワーク技術の例は、モバイル通信のためのグローバルシステム（ＧＳＭ（登録商標））、符号分割多元接続（ＣＤＭＡ）、ワイドバンドＣＤＭＡ（ＷＣＤＭＡ（登録商標））、ロングタームエボリューションＬＴＥ（登録商標））、高レートパケットデータ（ＨＲＰＤ）である。ＧＳＭ、ＷＣＤＭＡおよびＬＴＥは、３ＧＰＰ（登録商標）により定義されている技術である。ＣＤＭＡおよびＨＲＰＤは、第３世代パートナーシッププロジェクト２（３ＧＰＰ２）によって定義されている技術である。ＷＣＤＭＡはまた、ユニバーサルモバイル電気通信システム（ＵＭＴＳ）の一部であり、ＨＮＢによってサポートされうる。セルラトランシーバ１５０、１５２は、（例えば、サービス契約下の）サービスのためにワイヤレス電気通信ネットワークへの加入者アクセスを提供する機器の展開を備えうる。ここで、セルラトランシーバ１５０、１５２は、セルラトランシーバ１５０、１５２がアクセスサービスを提供することが可能である範囲に少なくとも部分的に基づいて決定されるセル内の加入者デバイスにサービスする際にセルラ基地局の機能を遂行しうる。
【００１９】
[0026]特定のインプリメンテーションでは、セルラトランシーバ１５０、１５２およびローカルトランシーバ１２０、１３０は、ワイヤレス通信リンク１４０、１５８、または１６０を通してロケーションサーバ１７０と通信しうる。いくつかのインプリメンテーションでは、ロケーションサーバ１７０は、セルラトランシーバ１５０とコロケートされうる。ロケーションサーバ１７０に接続されたネットワークは、ワイヤードまたはワイヤレスリンクの任意の組み合わせを備え、およびセルラトランシーバ１５０、１５２および／またはローカルトランシーバ１２０、１３０を含みうる。特定のインプリメンテーションでは、ロケーションサーバ１７０とモバイル局１１０との間、またはロケーションサーバとウェアラブルデバイス１００との間のネットワークは、ローカルトランシーバ１２０、１３０またはセルラトランシーバ１５０、１５２を通じた通信を容易にすることが可能であるインターネットプロトコル（ＩＰ）または他のインフラストラクチャを通じて容易にされうる。ある実施形態では、ロケーションサーバ１７０とモバイル局１１０との間、またはロケーションサーバ１７０とウェアラブルデバイス１００との間のネットワークもまた、ウェアラブルデバイス１００と、モバイル局１１０と、ロケーションサーバ１７０と、緊急応答機関（ＰＳＡＰ）との間での通信を容易にしうる。別のインプリメンテーションでは、ロケーションサーバ１７０とモバイル局１１０との間、またはロケーションサーバ１７０とウェアラブルデバイス１００との間のネットワークは、モバイル局１１０またはウェアラブルデバイス１００とのモバイルセルラ通信を容易にするために、例えば、基地局コントローラあるいはパケットベースまたは回線ベースの交換センター（図示せず）のようなセルラ通信ネットワークインフラストラクチャを備えうる。
【００２０】
[0027]特定のインプリメンテーションでは、ロケーションサーバ１７０とモバイル局１１０との間、またはロケーションサーバ１７０とウェアラブルデバイス１００との間のネットワークは、Ｂｌｕｅｔｏｏｔｈ送信機、無線周波数識別（ＲＦＩＤ）、および可視光通信（ＶＬＣ）のようなパーソナルエリアネットワーク（ＰＡＮ）要素、またはＷｉ−Ｆｉ ＡＰ、ルータおよびブリッジのようなローカルエリアネットワーク（ＬＡＮ）要素を備え、およびインターネットのようなワイドエリアネットワークへのアクセスを提供するゲートウェイ要素へのリンクを含みうるか、または有しうる。他のインプリメンテーションでは、ロケーションサーバ１７０とモバイル局１１０との間、またはロケーションサーバ１７０とウェアラブルデバイス１００との間のネットワークは、ＰＡＮまたはＬＡＮを備え、およびＷＷＡＮネットワークへのアクセスを有することも有さないこともありうるが、ウェアラブルデバイス１００またはモバイル局１１０にいかなるそのようなアクセス（サポートされている場合）も提供しないことがありうる。いくつかのインプリメンテーションでは、ロケーションサーバ１７０とモバイル局１１０との間、またはロケーションサーバ１７０とウェアラブルデバイス１００との間のネットワークは、複数のネットワーク（例えば、１つまたは複数のワイヤレスネットワークおよび／またはインターネット）を備えうる。１つのインプリメンテーションでは、ロケーションサーバ１７０とモバイル局１１０との間、またはロケーションサーバ１７０とウェアラブルデバイス１００との間のネットワークは、１つまたは複数のサービングゲートウェイまたはパケットデータネットワークゲートウェイを含みうる。加えて、ロケーションサーバのうちの１つまたは複数は、Ｅ−ＳＭＬＣ、セキュアユーザプレーンロケーション（ＳＵＰＬ）ロケーションプラットフォーム（ＳＬＰ）、ＳＵＰＬロケーションセンター（ＳＬＣ）、ＳＵＰＬ測位センター（ＳＰＣ：a SUPL Positioning Center）、位置決定エンティティ（ＰＤＥ：a Position Determining Entity）および／またはゲートウェイモバイルロケーションセンター（ＧＭＬＣ）でありえ、それらの各々は、ネットワーク中の１つまたは複数のロケーション検索機能（ＬＲＦ：location retrieval functions）および／またはモビリティ管理エンティティ（ＭＭＥ：mobility management entities）に接続しうる。
【００２１】
[0028]特定のインプリメンテーションでは、および以下に論述されるように、ウェアラブルデバイス１００とモバイル局１１０とのうちの１つまたは両方は、例えば、ＧＰＳまたは他の衛星測位システム（ＳＰＳ）衛星１８０、ローカルトランシーバ１２０、１３０、またはセルラトランシーバ１５０、１５２から受信される信号１７８、１７９についてのロケーション関連測定値を取得し、およびことによると、これらのロケーション関連測定値に基づいて位置フィックスまたは推定されたロケーションを計算することが可能である処理リソースおよび回路を有しうる。ウェアラブルデバイス１００とモバイル局１１０とは、ロケーションサーバ１７０とのロケーションセッション中に地理的データおよび／または支援データのような情報を受信するように構成されうる。例えば、ロケーションサーバ１７０は、セキュアユーザプレーンロケーション（ＳＵＰＬ）ロケーションプラットフォーム（ＳＬＰ）でありえ、およびロケーションセッションは、ＳＵＰＬサービスプロトコルにしたがったロケーションセッションでありうる。ロケーションセッションはさらに、ウェアラブルデバイス１００と、モバイル局１１０と、ロケーションサーバ１７０との間で測位能力情報、支援データおよびロケーション測定値またはロケーション推定値情報を転送するために、１つまたは複数の測位プロトコルをサポートしうる。ＳＵＰＬロケーションセッションのケースでは、ユーザプレーンロケーションプロトコル（ＵＬＰ）として知られるＳＵＰＬサービスプロトコルと、測位プロトコルとの両方が、ウェアラブルデバイス１００と、モバイル局１１０と、ロケーションサーバ１７０とによって、またはそれらの間で、エンドツーエンド方式でサポートされえ、ＵＬＰプロトコルは、測位プロトコルを搬送する。測位プロトコルは、例えば、ＬＰＰまたはＬＰＰプラスＬＰＰｅでありうる。ＬＰＰは、公に入手可能である３ＧＰＰ技術仕様書（ＴＳ）３６．３５５中に３ＧＰＰによって定義されており、ＬＰＰｅは、公に入手可能であるＯＭＡ ＴＳ ＯＭＡ−ＴＳ−ＬＰＰｅ−Ｖ１＿０中にＯＭＡによって定義されている。ロケーションサーバ１７０は、サーバと呼ばれえ、およびＳＬＰ、３ＧＰＰによって定義されているサービングモバイルロケーションセンター（ＳＭＬＣ）、３ＧＰＰ２によって定義されている位置決定エンティティ（ＰＤＥ）、３ＧＰＰによって定義されているスタンドアロンＳＭＬＣ（ＳＡＳ）または何らかの他のタイプのサーバでありうる。
【００２２】
[0029]いくつかのインプリメンテーションでは、ウェアラブルデバイス１００またはモバイル局１１０によって取得されるロケーション関連測定値は、ロケーションサーバ１７０に転送されえ、それは、拡張サービングモバイルロケーションセンター（Ｅ−ＳＭＬＣ：an enhanced serving mobile location center）またはＳＵＰＬロケーションプラットフォーム（ＳＬＰ）でありえ、その後に、ロケーションサーバ１７０は、測定値に基づいてウェアラブルデバイス１００またはモバイル局１１０についてのロケーションを推定または決定しうる。ウェアラブルデバイス１００またはモバイル局１１０によって取得されるロケーション関連測定値は、ＧＰＳ、ＧＬＯＮＡＳＳ、Ｇａｌｉｌｅｏまたは北斗のような全地球航法衛星システム（ＧＮＳＳ）またはＳＰＳに属する衛星から受信される信号１７８、１７９の測定値を含みうる、および／または、例えば、ローカルトランシーバ１２０、１３０またはセルラトランシーバ１５０、１５２のような、既知のロケーションにおいて固定された地上送信機から受信される信号の測定値を含みうる。
【００２３】
[0030]ウェアラブルデバイス１００またはモバイル局１１０あるいは別個のロケーションサーバ１７０はその後、例えば、ＧＮＳＳ、補助ＧＮＳＳ（Ａ−ＧＮＳＳ：Assisted GNSS）、高度順方向リンク三辺測量（ＡＦＬＴ：Advanced Forward Link Trilateration）、観測到着時間差（ＯＴＤＯＡ：Observed Time Difference Of Arrival）または拡張セルＩＤ（Ｅ−ＣＩＤ：Enhanced Cell ID）あるいはそれらの組み合わせのようないくつかの位置決め方法（position methods）のうちのいずれか１つを使用して、これらのロケーション関連測定値に基づいてウェアラブルデバイス１００またはモバイル局１１０についてのロケーション推定値を取得しうる。これらの技法のうちのいくつかでは（例えば、Ａ−ＧＮＳＳ、ＡＦＬＴ、およびＯＴＤＯＡ）、送信機または衛星によって送信され、ウェアラブルデバイス１００またはモバイル局１１０において受信されるパイロット、測位基準信号（ＰＲＳ）または他の測位関連信号に少なくとも部分的に基づいて、既知のロケーションにおいて固定された３つ以上の地上送信機に対する、または正確に知られている軌道データを有する４つ以上の衛星に対する、あるいはそれらの組み合わせの、疑似距離（pseudoranges）またはタイミング差がウェアラブルデバイス１００またはモバイル局１１０において測定されうる。ここで、サーバ１７０は、例えば、Ａ−ＧＮＳＳ、ＡＦＬＴ、ＯＴＤＯＡ、およびＥ−ＣＩＤのような測位技法を容易にするために、ＧＮＳＳ衛星についての信号、タイミングおよび軌道情報、地上送信機のロケーションおよびアイデンティティ、および／または測定されるべき信号に関する情報（例えば、信号タイミング）を含む、測位支援データをウェアラブルデバイス１００またはモバイル局１１０に提供することが可能でありうる。例えば、サーバ１７０は、特定の場所のような１つまたは複数の特定の領域中のセルラトランシーバおよび／またはローカルトランシーバのロケーションおよびアイデンティティを示すアルマナックを備え、および送信電力と信号タイミングとのような、セルラ基地局またはＡＰによって送信される信号を記述した情報を提供しうる。Ｅ−ＣＩＤのケースでは、ウェアラブルデバイス１００またはモバイル局１１０は、セルラトランシーバ１５０、１５２および／またはローカルトランシーバ１２０、１３０からの信号についての受信信号強度インジケータ（ＲＳＳＩ）またはラウンドトリップ信号伝搬時間（ＲＴＴ）の測定値を取得しうる。ウェアラブルデバイス１００またはモバイル局１１０は、ウェアラブルデバイス１００またはモバイル局１１０についてのロケーションを決定するために、サーバ１７０から受信された支援データ（例えば、地上アルマナックデータ、またはＧＮＳＳアルマナックおよび／またはＧＮＳＳエフェメリス情報のようなＧＮＳＳ衛星データ）とともにこれらの測定値を使用しうるか、または同じ決定を遂行するために、サーバ１７０（または異なるサーバ）に測定値を転送しうる。モバイル局１１０からの呼は、ウェアラブルデバイス１００またはモバイル局１１０のロケーションに基づいてルーティングされ、および、例えば、ワイヤレス通信リンク１６０または通信リンク１４０を介して緊急応答機関（ＰＳＡＰ）に接続されうる。
【００２４】
[0031]モバイルデバイス（例えば、ウェアラブルデバイス１００またはモバイル局１１０）のロケーションの推定値は、ロケーション、ロケーション推定値、ロケーションフィックス、フィックス、位置、位置推定値または位置フィックスと呼ばれえ、および地理的でありえ、このことから、高度コンポーネント（例えば、海水面からの高さ、地表面、床面または地下面からの高さあるいはそれより下の深さ）を含むことも含まないこともありうる、モバイルデバイスについてのロケーション座標（例えば、緯度および経度）を提供する。代替として、モバイルデバイスのロケーションは、シビック（civic）ロケーションとして（例えば、郵便宛先あるいは特定の部屋またはフロアのような建物中の何らかの地点または小さいエリアの指定として）表されうる。モバイルデバイスのロケーションはまた、その中にモバイルデバイスが何らかの確率または信頼度レベル（例えば、６７％または９５％）でロケートされることが予想される（地理的にまたはシビック形式のいずれかで定義される）エリアまたはボリュームとして表されうる。モバイルデバイスのロケーションはさらに、例えば、地理的に、またはシビックの用語（civic terms）で、あるいは地図、フロアプランまたは建物プラン上に示された地点、エリアまたはボリュームへの参照によって定義されうる、既知のロケーションにおける何らかの原点に対して定義された相対的Ｘ、Ｙ（およびＺ）座標または方向および距離を備える相対的ロケーションでありうる。ここに包含されている説明では、ロケーションという用語の使用は、そうでないと示されない限り、これらの変形の任意のものを備えうる。
【００２５】
[0032]ウェアラブルデバイス１００は、例えば、ユーザがウェアラブルデバイス１００でＥ９１１呼を掛けた、またはＳＭＳテキストトゥ９１１メッセージを送った後に、ロケーションセッションを要求しうる、またはモバイルデバイスが、そうでない場合には、非緊急ロケーションセッションを要求する。モバイル局１１０は、例えば、ローカルトランシーバ１２０、１３０を介して、ウェアラブルデバイス１００からロケーションセッションを求める要求を受信し、およびＥ９１１呼を掛けるか、またはテキストトゥ９１１メッセージを送り、およびこのことから、例えば、セルラトランシーバ１５０を介して、緊急ロケーションセッションを開始するか、または、そうでない場合には、非緊急ロケーションセッションを開始する。典型的に、モバイル局１１０が緊急または非緊急ロケーションセッションを開始したことから、モバイル局１１０からの位置情報は、ロケーションセッション中で使用されることになる。しかしながら、モバイル局１１０がウェアラブルデバイス１００に近接していない場合、モバイル局１１０からの位置情報は、ロケーションセッション中で使用されるべきではない。例えば、ユーザとウェアラブルデバイス１００とがモバイル局１１０付近にない場合、ロケーションセッション中でのモバイル局１１０からの位置情報の使用は、ユーザについての不正確な位置フィックスをもたらすことになり、それはその後、緊急応答機関（ＰＳＡＰ）またはロケーションサーバにレポートされうる。
【００２６】
[0033]それ故に、モバイル局１１０は、モバイル局１１０についてのロケーションフィックスがウェアラブルデバイス１００についてのロケーションフィックスとして使用されうるか、または使用されないことがありうるか、すなわち、ウェアラブルデバイス１００がモバイル局１１０に近接しているかどうか、を決定する。モバイル局１１０が、ウェアラブルデバイス１００がモバイル局１１０に近接していないと決定する場合、ロケーションセッションを開始した後に、信号１７８を介したＳＰＳシステム１８０からのデータ、セルラトランシーバ１５０とのリンク１４８またはローカルトランシーバ１３０とのリンク１２８からのデータを含む、モバイル局１１０からの位置情報は、ウェアラブルデバイス１００のためのロケーションセッション中で使用されない。代わりに、モバイル局１１０は、ウェアラブルデバイス１００から位置情報、例えば、信号１７９を介してＳＰＳシステム１８０からウェアラブルデバイス１００によって獲得されるデータ、あるいはローカルトランシーバ１２０とのリンク１１８またはセルラトランシーバ１５２からのリンク１５１から獲得されるデータ、カメラ、慣性センサ、圧力センサ、等を含むセンサからのデータ、もしくはウェアラブルデバイス１００によって決定される位置フィックスを受信しえ、およびロケーションサーバ１７０にウェアラブルデバイス１００からの位置情報を送信しうる。代替として、ロケーションセッションを開始した後に、モバイル局１１０は、ロケーションセッションからドロップしえ、ウェアラブルデバイス１００にローカルトランシーバ１２０とのリンク１１８またはセルラ送信機１５２とのリンク１５１を通じてロケーションセッション中にロケーションサーバ１７０とワイヤレスに通信させる。
【００２７】
[0034]図２は、モバイル局１１０およびロケーションサーバ１７０を使用するウェアラブルデバイス１００のためのロケーションセッションを例示する呼フローである。ステップＡにおいて、ウェアラブルデバイス１００は、モバイル局１１０にロケーションセッションを求める要求を送る。モバイル局１１０にワイヤレスに送信されるロケーションセッションを求める要求は、例として、ウェアラブルデバイス１００で非常呼を掛ける、例えば、９１１をダイアルするか、またはＳＭＳテキストトゥ９１１メッセージを送ることからでありうる。非常呼がモバイル局１１０によって完了すると、緊急ロケーションセッションが自動的に開始され、それは、緊急呼を掛けることが、ここではロケーションセッションを求める要求であると見なされる理由である。ロケーションセッションは代替として、非緊急ロケーションセッションでありえ、それは、ウェアラブルデバイス１００中でナビゲーションアプリケーションのような特定のアプリケーションを起動することの結果として要求されうる。
【００２８】
[0035]モバイル局１１０は、ステップＢ中で、モバイル局１１０についてのロケーションフィックスがウェアラブルデバイス１００についてのロケーションフィックスとして使用されうるか、または使用されないことがありうるか、すなわち、ウェアラブルデバイス１００がモバイル局１１０に近接しているかどうか、を決定する。モバイル局１１０は、モバイル局１１０とウェアラブルデバイス１００とがどのようにワイヤレスに接続されるかを決定することによって、モバイル局１１０についてのロケーションフィックスがウェアラブルデバイス１００についてのロケーションフィックスとして使用されうるか、または使用されないことがありうるかを決定しうる。例えば、モバイル局１１０とウェアラブルデバイス１００とが、例えば、Ｂｌｕｅｔｏｏｔｈ（登録商標）のようなＷＰＡＮまたは短距離通信技術を通じて直接ワイヤレスにリンクされる場合、モバイル局１１０とウェアラブルデバイス１００とは、近接していなければならず、モバイル局１１０のロケーションは、ウェアラブルデバイス１００のロケーションとして使用されうる。
【００２９】
[0036]反対に、図２中に例示されているように、モバイル局１１０は、ウェアラブルデバイス１００がモバイル局１１０に近接していないと決定しえ、およびこのことから、モバイル局１１０についてのロケーションフィックスは、ウェアラブルデバイス１００についてのロケーションフィックスとして使用されないことがありうる。例えば、モバイル局１１０は、ウェアラブルデバイス１００とモバイル局１１０とが互いに直接ワイヤレスにリンクされていないと決定しうる。１つのインプリメンテーションでは、例えば、モバイル局１１０は、ウェアラブルデバイス１００とモバイル局１１０とが、例えば、Ｂｌｕｅｔｏｏｔｈ（登録商標）のようなＷＰＡＮまたは短距離通信技術を通じて互いに直接ワイヤレスにリンクされていないと決定しうる。いくつかのインプリメンテーションでは、図１中のリンク１１８および１１９によって例示されているように、モバイル局１１０とウェアラブルデバイス１００とがＷＬＡＮ中の同じローカルトランシーバを通じてワイヤレスにリンクされている場合であっても、モバイル局１１０は、ウェアラブルデバイス１００がモバイル局１１０に近接していないと、例えば、それらが、例えば、Ｂｌｕｅｔｏｏｔｈ（登録商標）のようなＷＰＡＮまたは短距離通信技術を通じて直接ワイヤレスにリンクされていない場合には、決定しうる。モバイル局１１０はまた、モバイル局１１０とウェアラブルデバイス１００とがＷＬＡＮ中の同じローカルトランシーバを通じてワイヤレスにリンクされていない場合に、ウェアラブルデバイス１００がモバイル局１１０に近接していないと決定しうる。モバイル局１１０は代替として、モバイル局１１０上のセンサをモニタするといったような間接的な手段を使用して、ウェアラブルデバイス１００がモバイル局１１０に近接しているかどうかを決定しうる。例えば、モバイル局１１０上の動きセンサは、ウェアラブルデバイス１００からのロケーションセッション要求がなされたときに、または、例えば、ロケーション要求に先行する時間期間にわたって、モバイル局１１０が移動しなかったことを示しえ、それは、モバイル局１１０が持たれていない、またはウェアラブルデバイス１００のユーザの人の上にないことを示す。別の例では、ウェアラブルデバイス１００およびモバイル局１１０からのカメラセンサは、例えば、光レベル、画像中にキャプチャされたオブジェクト、または画像から抽出された特徴を含む画像データの比較を通じて、モバイル局１１０がウェアラブルデバイス１００と同じ環境中にあるかどうかを決定するために使用されうる。
【００３０】
[0037]ステップＣでは、モバイル局１１０は、ロケーションセッションを開始するためのメッセージをロケーションサーバ１７０に送る。ロケーションセッションは、ＳＵＰＬ、ＬＰＰ、およびＬＰＰｅタイプのロケーションセッションを含む任意の適切なタイプのロケーションセッションでありうる。例示されているように、モバイル局１１０は、ステップＤ中でウェアラブルデバイス１００に位置情報を要求しえ、およびステップＥ中でウェアラブルデバイス１００から位置情報を受信しうる。例として、ウェアラブルデバイス１００からの位置情報は、ＳＰＳシステム１８０からウェアラブルデバイス１００によって獲得されるデータを含みうる。ＳＰＳシステム１８０から獲得されるデータは、例えば、ＳＰＳデータを使用してウェアラブルデバイス１００によって決定される位置フィックスまたは測定データでありうる。位置情報はまた、あるいは代替として、ローカルトランシーバ１２０によって例示されているＷＰＡＮまたはＷＬＡＮ、あるいはセルラトランシーバ１５２によって例示されているＷＷＡＮから獲得されるデータ、ならびにカメラ、慣性センサ、圧力センサを含むセンサからのデータ、ウェアラブルデバイス１００によって決定される位置フィックス、もしくは前述の任意の組み合わせでありうる。例えば、位置情報は、アクセスポイント、ルータ、ブリッジ、フェムトセル、Ｂｌｕｅｔｏｏｔｈ送信機、ピコセル、スモールセル、無線周波数識別（ＲＦＩＤ）、および可視光通信（ＶＬＣ）、基地局、またはそれらの組み合わせのうちの１つまたは複数からの受信信号強度インジケータ（ＲＳＳＩ）および／またはラウンドトリップ時間（ＲＴＴ）測定値でありうる。加えて、ウェアラブルデバイス１００は、例えば、位置フィックスを決定するために、データのうちの一部分または全てを処理しえ、および位置フィックスは、ステップＥ中でモバイル局１１０に位置情報として送信されうる。追加のデータは、ウェアラブルデバイス１００にまたはウェアラブルデバイス１００から提供されうることが理解されるべきである。例えば、モバイル局１１０は、ロケーションサーバ１７０から支援データを取得しえ、およびステップＤ中での位置情報を求める要求より前に、または要求とともに、ウェアラブルデバイス１００に支援データを提供しうる。
【００３１】
[0038]ステップＦでは、モバイル局１１０は、ロケーションサーバ１７０にウェアラブルデバイス１００からの位置情報を送信する。ロケーションサーバ１７０に送信される位置情報は、ウェアラブルデバイス１００から受信される同じ位置情報でありえ、またはモバイル局１１０は、例えば、位置フィックスを決定するために、データのうちの一部分または全てを処理しえ、および位置フィックスは、ロケーションサーバ１７０に位置情報として送信されうる。ステップＧでは、ロケーションサーバ１７０は、ステップＦ中でモバイル局から受信された位置情報を使用して位置フィックスを決定し（それはウェアラブルデバイス１００またはモバイル局１１０によって決定されなかったと想定する）、およびロケーションセッションは、ステップＨ中で終了されうる。
【００３２】
[0039]図３は、モバイル局１１０およびロケーションサーバ１７０を使用するウェアラブルデバイス１００のためのロケーションセッションを例示する別の呼フローである。図２の呼フローと同様に、ウェアラブルデバイス１００は、ステップＡ中でモバイル局１１０にロケーションセッションを求める要求を送り、およびモバイル局１１０は、ステップＢ中で、ウェアラブルデバイス１００がモバイル局１１０に近接していないと決定しえ、およびこのことから、モバイル局１１０についてのロケーションフィックスは、ウェアラブルデバイス１００についてのロケーションフィックスとして使用されないことがありうる。
【００３３】
[0040]ステップＣでは、モバイル局１１０は、ウェアラブルデバイス１００とロケーションサーバ１７０との間でのロケーションセッションを開始するためのメッセージをロケーションサーバ１７０に送る。このことから、モバイル局１１０は、ロケーションサーバ１７０とのロケーションセッションを開始するが、ウェアラブルデバイス１００にロケーションセッションをパスオフする（passes the location session off to）。ウェアラブルデバイス１００はその後、例えば、ローカルトランシーバ１２０またはセルラトランシーバ１５２を介して、ロケーションサーバ１７０とのロケーションセッションを遂行する。モバイル局１１０は、ステップＤ中で、例示されているように、ロケーションセッションからドロップしうる。
【００３４】
[0041]ロケーションサーバ１７０は、ステップＥ中でウェアラブルデバイス１００に位置情報を要求しえ、およびステップＦ中でウェアラブルデバイス１００から位置情報を受信しうる。上述されたように、ウェアラブルデバイス１００からの位置情報は、測定値または位置フィックスを含む、ＳＰＳシステム１８０からウェアラブルデバイス１００によって獲得されるデータを含みうる、および／または、ローカルトランシーバ１２０によって例示されているＷＰＡＮまたはＷＬＡＮ、あるいはセルラトランシーバ１５２によって例示されているＷＷＡＮから獲得されるデータ、ならびにカメラ、慣性センサ、圧力センサ、等を含むセンサからのデータ、もしくはそれらの組み合わせ、あるいはウェアラブルデバイス１００によって決定される位置フィックスを含みうる。位置情報は、アクセスポイント、ルータ、ブリッジ、フェムトセル、Ｂｌｕｅｔｏｏｔｈ送信機、ピコセル、スモールセル、無線周波数識別（ＲＦＩＤ）、および可視光通信（ＶＬＣ）、基地局、またはそれらの組み合わせのうちの１つまたは複数からのＲＳＳＩおよびＲＴＴ測定値を含みうる。ウェアラブルデバイス１００は、例えば、位置フィックスを決定するために、データのうちの一部分または全てを処理しえ、および位置フィックスは、ステップＥ中でモバイル局１１０に位置情報として送信されうる。追加のデータは、ウェアラブルデバイス１００にまたはウェアラブルデバイス１００から提供されうることが理解されるべきである。ロケーションサーバ１７０は、ステップＥ中での位置情報を求める要求より前に、または要求とともに、ウェアラブルデバイス１００に支援データを提供しうる。
【００３５】
[0042]ステップＧでは、ロケーションサーバ１７０は、ステップＦ中でモバイル局から受信された位置情報を使用して位置フィックスを決定し（ウェアラブルデバイス１００によって以前に決定されなかった場合）、およびロケーションセッションは、ステップＨ中で終了されうる。
【００３６】
[0043]図４は、ウェアラブルデバイスのためのロケーション決定の方法を例示するフローチャートである。例示されているように、ウェアラブルデバイスからのロケーションセッションを開始することを求める要求は、モバイル局によって受信され、モバイル局は、ウェアラブルデバイスとワイヤレスにリンクされる（２０２）。ウェアラブルデバイスからのロケーションセッションを開始することを求める要求は、例えば、ウェアラブルデバイスからの緊急呼でありうる。
【００３７】
[0044]モバイル局は、モバイル局についてのロケーションフィックスがウェアラブルデバイスについてのロケーションフィックスとして使用されないことがありうると決定する（２０４）。上述されたように、モバイル局は、ウェアラブルデバイスがモバイル局に近接していないことから、モバイル局についてのロケーションフィックスがウェアラブルデバイスについてのロケーションフィックスとして使用されないことがありうると決定しうる。例えば、モバイル局は、ウェアラブルデバイスとモバイル局とが互いに直接ワイヤレスにリンクされていないと決定しうる。例えば、モバイル局は、ウェアラブルデバイスとモバイル局とが、例えば、Ｂｌｕｅｔｏｏｔｈ（登録商標）のようなＷＰＡＮまたは短距離通信技術を通じて直接ワイヤレスにリンクされていないと決定しうる。いくつかのインプリメンテーションでは、モバイル局とウェアラブルデバイスとがＷＬＡＮ中の同じローカルトランシーバを通じてワイヤレスにリンクされている場合であっても、モバイル局は、ウェアラブルデバイスがモバイル局に近接していないと、例えば、それらが、例えば、Ｂｌｕｅｔｏｏｔｈ（登録商標）のようなＷＰＡＮまたは短距離通信技術を通じて直接ワイヤレスにリンクされていない場合には、決定しうる。モバイル局はまた、モバイル局とウェアラブルデバイスとがＷＬＡＮ中の同じローカルトランシーバを通じてワイヤレスにリンクされていない場合に、ウェアラブルデバイスがモバイル局に近接していないと決定しうる。例えば、動きセンサは、モバイル局が、例えば、ロケーションセッションを開始することを求める要求が受信された時間において、またはその要求が受信される前の期間にわたってユーザによって持たれていないと決定するために使用されうる。別の例では、カメラセンサは、例えば、光レベル、画像中にキャプチャされたオブジェクト、または画像から抽出された特徴を含むウェアラブルデバイスからの画像データの比較を通じて、モバイル局がウェアラブルデバイスと同じ環境中にないと決定するために使用されうる。
【００３８】
[0045]モバイル局は、ロケーションサーバとのウェアラブルデバイスのためのロケーションセッションを開始し、ここにおいて、ウェアラブルデバイスのためのロケーションセッションは、モバイル局からの位置情報を使用しない（２０６）。
【００３９】
[0046]図５は、ウェアラブルデバイスのためのロケーション決定の別の方法を例示するフローチャートである。図５中に例示されている方法は、図４中に例示されている方法と同様であり、同様の指定された要素は、同じである。加えて、モバイル局は、ウェアラブルデバイスから位置情報を受信し（２０８）、およびロケーションサーバにウェアラブルデバイスからの位置情報を送信する（２１０）。ウェアラブルデバイスからの位置情報は、例えば、ＷＰＡＮデータ、ＷＬＡＮデータ、ＷＷＡＮデータまたはＳＰＳデータ、ならびにカメラ、慣性センサ、圧力センサ、等を含むセンサからのデータ、もしくはそれらの組み合わせ、あるいはウェアラブルデバイスによって決定される位置フィックスでありうる。例えば、位置情報は、アクセスポイント、ルータ、ブリッジ、フェムトセル、Ｂｌｕｅｔｏｏｔｈ送信機、ピコセル、スモールセル、無線周波数識別（ＲＦＩＤ）、可視光通信（ＶＬＣ）、または基地局あるいはそれらの組み合わせのうちの１つまたは複数からの受信信号強度インジケータ（ＲＳＳＩ）またはラウンドトリップ時間（ＲＴＴ）測定値のうちの少なくとも１つでありうる。
【００４０】
[0047]図６は、ウェアラブルデバイスのためのロケーション決定の別の方法を例示するフローチャートである。図６中に例示されている方法は、図４中に例示されている方法と同様であり、同様の指定された要素は、同じである。加えて、モバイル局は、ロケーションセッションからドロップしえ、ウェアラブルデバイスにモバイル局の支援なしにロケーションセッション中にロケーションサーバと直接ワイヤレスに通信させ、例えば、ウェアラブルデバイスは、ＷＬＡＮネットワークまたはＷＷＡＮネットワークを通じてロケーションサーバと通信しうる（２１２）。
【００４１】
[0048]図７は、上述されたようなウェアラブルデバイスのためのロケーション決定の方法を遂行することが可能であるモバイル局１１０のブロック図である。モバイル局１１０は、例えば、いくつかの実施形態では、（図１中に示されている）ロケーションサーバ１７０と通信するための（図１中に示されている）セルラトランシーバ１５０のような、ＷＷＡＮ送信機とワイヤレスに通信するためのＷＷＡＮトランシーバ７１０を含みうる。モバイル局１１０は、例えば、（図１中に示されている）ウェアラブルデバイス１００と、およびいくつかの実施形態では、（図１中に示されている）ロケーションサーバ１７０と通信するための（図１中に示されている）ローカルトランシーバ１３０のような、ＷＬＡＮ送信機とワイヤレスに通信するためのＷＬＡＮトランシーバ７２０を含みうる。モバイル局１１０は、短距離短距離通信技術を使用して（図１中に示されている）ウェアラブルデバイス１００のような他のデバイスとワイヤレスに通信するためのＷＰＡＮトランシーバ７２５を含みうる。モバイル局１１０は、ＷＷＡＮトランシーバ７１０、ＷＬＡＮトランシーバ７２０およびＷＰＡＮトランシーバ７２５とともに使用されうる１つまたは複数のアンテナ７３０を含みうる。モバイル局１１０は、カメラまたは光検出器でありうるカメラセンサ７４０、および加速度計、ジャイロスコープ、電子コンパス、磁力計、圧力センサ（例えば、気圧計）、等のような１つまたは複数の動きセンサ７４５を含みうる。モバイル局１１０はさらに、（図１中に示されている）ＳＰＳシステム１８０からＳＰＳデータを受信するためのＳＰＳ受信機７６０を含みうる。モバイル局１１０はさらに、例えば、ユーザがモバイル局１１０とインターフェースしうる、ディスプレイ、キーパッド、またはディスプレイ上の仮想キーパッドのような他の入力デバイスを含みうるユーザインターフェース７５０を含みうる。
【００４２】
[0049]モバイル局１１０はさらに、メモリ７７０および１つまたは複数のプロセッサ７８０を含み、それらは、バス７７２を用いて互いに結合されうる。１つまたは複数のプロセッサ７８０およびモバイル局１１０の他のコンポーネントは同様に、バス７７２、別個のバスを用いて互いに結合されうるか、あるいは互いに直接接続されうるか、または前述の組み合わせでありうる。メモリ７７０は、１つまたは複数のプロセッサ７８０によって実行されると、１つまたは複数のプロセッサに、ここに開示されているアルゴリズムを遂行するようにプログラムされた特殊用途コンピュータとして動作することを行わせる実行可能コードまたはソフトウェア命令を包含しうる。
【００４３】
[0050]図７中に例示されているように、１つまたは複数のプロセッサ７８０は、ここに説明されているような方法をインプリメントする１つまたは複数の処理ユニットまたはコンポーネントを含みうる。例えば、１つまたは複数のプロセッサ７８０は、モバイル局１１０についてのロケーションフィックスがウェアラブルデバイス１００についてのロケーションフィックスとして使用されうるかどうか、すなわち、ウェアラブルデバイス１００がモバイル局１１０に近接しているかどうか、を決定するための近接決定ユニット７８２を含みうる。要求されたロケーションセッションを受信した後で、近接決定ユニット７８２は、ウェアラブルデバイス１００がモバイル局１１０に近接しているかどうかを決定することによって、モバイル局１１０についてのロケーションフィックスがウェアラブルデバイス１００についてのロケーションフィックスとして使用されうるかどうかを決定する。近接決定ユニット７８２は、例えば、ＷＰＡＮトランシーバ７２５を通じて、モバイル局１１０がウェアラブルデバイス１００に直接ワイヤレスにリンクされているかどうか、または、例えば、ワイヤレスメッセージ中に含まれているアクセスポイントのＭＡＣアドレスに基づいてＷＬＡＮトランシーバ７２０が接続される同じアクセスポイントを通じて、モバイル局１１０がウェアラブル１００にワイヤレスにリンクされているかどうかを決定しうる。近接決定ユニット７８２は加えてまたは代替として、センサからのデータに基づいて、ウェアラブルデバイス１００がモバイル局１１０に近接しているかどうかを決定しうる。例えば、近接決定ユニット７８２は、例えば、ロケーションセッションを求める要求がウェアラブルデバイス１００から送られたときに（または送られる前の所定の時間期間にわたって）モバイル局１１０が移動しなかったことを示す、加速度計、ジャイロスコープ、等のような動きセンサ７４５からのデータに基づいて、モバイル局１１０がウェアラブルデバイス１００のユーザによって持たれていないと決定しうる。別の例では、近接決定ユニット７８２は、例えば、カメラセンサ７４０からのカメラデータを、光レベル、画像中にキャプチャされたオブジェクト、または画像から抽出された特徴を含む、ウェアラブルデバイス１００から受信されたカメラデータと比較することによって、カメラセンサ７４０からのデータに基づいて、モバイル局１１０がウェアラブルデバイス１００と同じ環境中にないと決定しうる。
【００４４】
[0051]１つまたは複数のプロセッサ７８０はさらに、ロケーションセッション開始ユニット７８４を含みえ、それは、ＷＷＡＮトランシーバ７１０またはＷＬＡＮトランシーバ７２０のようなワイヤレストランシーバを通じてロケーションサーバ１７０とのウェアラブルデバイス１００のためのロケーションセッションを開始し、ここにおいて、ウェアラブルデバイスのためのロケーションセッションは、モバイル局１１０についてのロケーションフィックスがウェアラブルデバイス１００についてのロケーションフィックスとして使用されないことがありうる、すなわち、ウェアラブルデバイス１００がモバイル局１１０に近接していない、と近接決定ユニット７８２が決定するときに、モバイル局からの位置情報を使用しない。ロケーションセッション開始ユニット７８４は、例えば、ウェアラブルデバイス１００によって要求されるように、非常呼を掛け、および非常ロケーションセッションを開始しうるか、またはそうでない場合は、非緊急ロケーションセッションを開始しうる。
【００４５】
[0052]１つまたは複数のプロセッサ７８０はさらに、例えば、ＷＬＡＮトランシーバ７２０を介してウェアラブルデバイス１００から位置情報を取得し、およびウェアラブルデバイス１００がモバイル局１１０に近接していないと近接決定ユニット７８２が決定したときに、ＷＷＡＮトランシーバ７１０またはＷＬＡＮトランシーバ７２０のようなワイヤレストランシーバに、ロケーションサーバ１７０にウェアラブルデバイス１００からの位置情報を送信することを行わせる位置情報パススルーユニット７８６を含みうる。ウェアラブルデバイス１００からの位置情報は、例えば、ＷＰＡＮ、ＷＬＡＮ、ＷＷＡＮデータ、ＳＰＳデータ、ならびにカメラ、慣性センサ、圧力センサ、等を含むセンサからのデータ、もしくはそれらの組み合わせ、あるいはウェアラブルデバイス１００によって決定される位置フィックスでありうる。位置情報は、アクセスポイント、ルータ、ブリッジ、フェムトセル、Ｂｌｕｅｔｏｏｔｈ送信機、ピコセル、スモールセル、無線周波数識別（ＲＦＩＤ）、および可視光通信（ＶＬＣ）または基地局、あるいはそれらの組み合わせのうちの１つまたは複数からの受信信号強度インジケータ（ＲＳＳＩ）またはラウンドトリップ時間（ＲＴＴ）測定値のうちの少なくとも１つを含みうる。
【００４６】
[0053]１つまたは複数のプロセッサ７８０はさらに、ロケーションセッションからモバイル局１１０をドロップし、ウェアラブルデバイス１００に、例えば、ＷＬＡＮまたはＷＷＡＮネットワークを通じて、ロケーションセッション中にロケーションサーバ１７０とワイヤレスに通信させる、ロケーションセッションパスオフユニット７８８を含みうる。
【００４７】
[0054]１つまたは複数のプロセッサ７８０はさらに、ウェアラブルデバイス１００についての位置フィックスを決定するために、ウェアラブルデバイス１００から取得される位置情報を使用しうる位置決定ユニット７８９を含みえ、それはその後、例えば、ＷＬＡＮまたはＷＷＡＮネットワークを通じて、ロケーションセッション中にロケーションサーバ１７０と直接ワイヤレスに通信されうる。
【００４８】
[0055]ここに説明されている方法は、アプリケーションに依存して様々な手段によってインプリメントされうる。例えば、これらの方法は、ハードウェア、ファームウェア、ソフトウェア、またはそれらの任意の組み合わせにおいてインプリメントされうる。ハードウェアインプリメンテーションの場合、１つまたは複数のプロセッサは、１つまたは複数の特定用途向け集積回路（ＡＳＩＣ）、デジタルシグナルプロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子デバイス、ここに説明されている機能を遂行するように設計された他の電子ユニット、またはそれらの組み合わせ内においてインプリメントされうる。
【００４９】
[0056]ファームウェアおよび／またはソフトウェアを伴うインプリメンテーションの場合、方法は、ここに説明されている別個の機能を遂行するモジュール（例えば、プロシージャ、機能、等）でインプリメントされうる。命令を有形に具現化する任意の機械可読媒体は、ここに説明されている方法をインプリメントする際に使用されうる。例えば、ソフトウェアコードは、メモリ中に記憶され、および１つまたは複数のプロセッサユニットによって実行されえ、プロセッサユニットに、ここに開示されているアルゴリズムを遂行するようにプログラムされた特殊用途コンピュータとして動作することを行わせる。メモリは、プロセッサユニット内部またはプロセッサユニット外部においてインプリメントされうる。ここに使用される場合、「メモリ」という用語は、任意のタイプの長期、短期、揮発性、不揮発性、または他のメモリを指し、任意の特定のタイプのメモリまたはメモリの数、あるいはメモリが記憶される媒体のタイプに限定されるべきではない。
【００５０】
[0057]ファームウェアおよび／またはソフトウェアにおいてインプリメントされる場合、機能は、非一時的コンピュータ可読記憶媒体上に１つまたは複数の命令またはコードとして記憶されうる。例は、データ構造を用いて符号化されたコンピュータ可読媒体とコンピュータプログラムを用いて符号化されたコンピュータ可読媒体とを含む。コンピュータ可読媒体は、物理的コンピュータ記憶媒体を含む。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置、半導体記憶装置、または他の記憶デバイス、あるいはデータ構造または命令の形態で所望されるプログラムコードを記憶するために使用されることができ、且つコンピュータによってアクセスされることができる任意の他の媒体を備えることができ、ディスク（disk）およびディスク（disc）は、ここに使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれるべきである。
【００５１】
[0058]コンピュータ可読記憶媒体上への記憶に加えて、命令および／またはデータは、通信装置中に含まれる送信媒体上における信号として提供されうる。例えば、通信装置は、命令およびデータを示す信号を有するトランシーバを含みうる。命令およびデータは、非一時的コンピュータ可読媒体、例えば、メモリ７７０上に記憶され、および１つまたは複数のプロセッサに、ここに開示されているアルゴリズムを遂行するようにプログラムされた特殊用途コンピュータとして動作することを行わせるように構成される。すなわち、通信装置は、開示されている機能を遂行するための情報を示す信号を有する送信媒体を含む。１回目では、通信装置中に含まれる送信媒体は、開示されている機能を遂行するための情報の第１の部分を含みえ、その一方で２回目では、通信装置中に含まれる送信媒体は、開示されている機能を遂行するための情報の第２の部分を含みうる。
【００５２】
[0059]このことから、モバイル局１１０は、モバイル局が、ウェアラブルデバイスからロケーションセッションを開始することを求める要求を受信するための手段を含み、モバイル局は、ウェアラブルデバイスとワイヤレスにリンクされ、それは、例えば、ＷＬＡＮトランシーバ７２０を含みうる。モバイル局１１０はさらに、モバイル局が、モバイル局についてのロケーションフィックスがウェアラブルデバイスについてのロケーションフィックスとして使用されないことがありうると決定するための手段を含みえ、それは、例えば、１つまたは複数のプロセッサ７８０の近接決定ユニット７８２を含みえ、およびさらに、ＷＰＡＮトランシーバ７２５、ＷＬＡＮトランシーバ７２０、カメラセンサ７４０、および動きセンサ７４５を含みうる。モバイル局１１０はさらに、モバイル局が、ロケーションサーバとのウェアラブルデバイスのためのロケーションセッションを開始するための手段を含みえ、ここにおいて、ウェアラブルデバイスのためのロケーションセッションは、モバイル局からの位置情報を使用せず、それは、例えば、ロケーションセッション開始ユニット７８４、ならびにＷＷＡＮトランシーバ７１０またはＷＬＡＮトランシーバ７２０を含みうる。
【００５３】
[0060]モバイル局１１０はさらに、モバイル局が、ウェアラブルデバイスから位置情報を受信するための手段であって、それは、例えば、位置情報パススルーユニット７８６およびＷＬＡＮトランシーバ７２０を含みうる手段と、モバイル局が、ウェアラブルデバイスからの位置情報をロケーションサーバに送信するための手段であって、それは、例えば、位置情報パススルーユニット７８６およびＷＷＡＮトランシーバ７１０またはＷＬＡＮトランシーバ７２０を含みうる手段とを含みうる。
【００５４】
[0061]モバイル局１１０はさらに、ロケーションサーバからモバイル局をドロップし、ウェアラブルデバイスに、例えば、ＷＬＡＮまたはＷＷＡＮネットワークを通じて、ロケーションセッション中にロケーションサーバと直接ワイヤレスに通信させるための手段を含みえ、それは、例えば、ロケーションセッションパスオフユニット７８８を含みうる。
【００５５】
[0062]モバイル局１１０はさらに、ウェアラブルデバイスが短距離通信技術を通じてモバイル局に直接ワイヤレスにリンクされていないと決定するための手段を含みえ、それは、例えば、１つまたは複数のプロセッサ７８０の近接決定ユニット７８２およびＷＰＡＮトランシーバ７２５を含みうる。モバイル局１１０はさらに、ウェアラブルデバイスがＷＬＡＮネットワーク中の同じアクセスポイントを通じてモバイル局にワイヤレスにリンクされていないと決定するための手段を含みえ、それは、例えば、１つまたは複数のプロセッサ７８０の近接決定ユニット７８２およびＷＬＡＮトランシーバ７２０を含みうる。
【００５６】
[0063]図８は、上述されたようなウェアラブルデバイスのためのロケーション決定の方法を遂行するためにモバイル局１１０と通信することが可能であるウェアラブルデバイス１００のブロック図である。ウェアラブルデバイス１００は、例えば、（図１中に示されている）モバイル局１１０ １００と、およびいくつかの実施形態では、（図１中に示されている）ロケーションサーバ１７０と通信するための（図１中に示されている）ローカルトランシーバ１２０のような、ＷＬＡＮ送信機とワイヤレスに通信するためのＷＬＡＮトランシーバ８２０を含みうる。ウェアラブルデバイス１００は、短距離短距離通信技術を使用して（図１中に示されている）モバイル局１１０のような他のデバイスとワイヤレスに通信するためのＷＰＡＮトランシーバ８２５を含みうる。ウェアラブルデバイス１００は、例えば、いくつかの実施形態では、（図１中に示されている）ロケーションサーバ１７０と通信するための（図１中に示されている）セルラトランシーバ１５２のような、ＷＷＡＮ送信機とワイヤレスに通信するためのＷＷＡＮトランシーバ８１０を含みうる。ウェアラブルデバイス１００は、ＷＬＡＮトランシーバ８２０およびＷＰＡＮトランシーバ８２５、およびＷＷＡＮトランシーバ８１０（含まれる場合）とともに使用されうる１つまたは複数のアンテナ８３０を含みうる。ウェアラブルデバイス１００は、カメラまたは光センサ、動きセンサ、慣性センサ、圧力センサ、等のようなセンサ８４０を含みうる。ウェアラブルデバイス１００はさらに、（図１中に示されている）ＳＰＳ衛星１８０からＳＰＳデータを受信するためのＳＰＳ受信機８６０を含みうる。ウェアラブルデバイス１００はさらに、例えば、ユーザがウェアラブルデバイス１００とインターフェースしうる、ディスプレイ、キーパッド、またはディスプレイ上の仮想キーパッドのような他の入力デバイスを含みうるユーザインターフェース８５０を含みえ、ウェアラブルデバイス１００に、例えば、位置フィックスを必要とするナビゲーションアプリケーションのようなアプリケーションを起動するか、または非常呼を掛けることによって、モバイル局１１０にロケーションセッションを求める要求を送ることを行わせうる。
【００５７】
[0064]ウェアラブルデバイス１００はさらに、メモリ８７０および１つまたは複数のプロセッサ８８０を含み、それらは、バス８７２を用いて互いに結合されうる。１つまたは複数のプロセッサ８８０およびウェアラブルデバイス１００の他のコンポーネントは同様に、バス８７２、別個のバスを用いて互いに結合されうるか、あるいは互いに直接接続されうるか、または前述の組み合わせでありうる。メモリ８７０は、１つまたは複数のプロセッサ８８０によって実行されると、１つまたは複数のプロセッサに、ここに開示されているアルゴリズムを遂行するようにプログラムされた特殊用途コンピュータとして動作することを行わせる実行可能コードまたはソフトウェア命令を包含しうる。
【００５８】
[0065]図８中に例示されているように、１つまたは複数のプロセッサ８８０は、ここに説明されているような方法をインプリメントする１つまたは複数の処理ユニットまたはコンポーネントを含みうる。例えば、１つまたは複数のプロセッサ８８０は、例えば、モバイル局１１０がロケーションセッションからドロップした後に、ウェアラブルデバイス１００についての位置フィックスを決定すべくロケーションサーバ１７０と通信するために、またはロケーションセッションを要求するために、モバイル局１１０に、例えば、ＷＬＡＮトランシーバ８２０またはＷＷＡＮトランシーバ８１０を介して通信することが可能であるロケーションセッションユニット８８２を含みうる。１つまたは複数のプロセッサ８８０はさらに、位置情報を決定するために、ＷＬＡＮトランシーバ８２０および／またはＷＷＡＮトランシーバ８１０を使用してＲＳＳＩおよび／またはＲＴＴ測定を遂行するためのＲＳＳＩユニット８８４およびＲＴＴユニット８８６を含みうる。１つまたは複数のプロセッサ８８０はさらに、位置情報を決定するために、ＳＰＳ受信機８６０を使用してＳＰＳ測定値を生成するためのＳＰＳユニット８８８を含みうる。１つまたは複数のプロセッサ８８０はさらに、位置情報として、光レベル、画像中にキャプチャされたオブジェクト、または画像から抽出された特徴のようなデータをセンサ８４０から収集するセンサ情報ユニット８９０を含みうる。１つまたは複数のプロセッサ８８０はさらに、位置フィックスを決定するために、獲得されたデータを使用する位置決定ユニット８９５を含みえ、それは、位置情報でありうる。位置情報は、ＷＬＡＮトランシーバ８２０またはＷＷＡＮトランシーバ８１０を使用してモバイル局１１０またはロケーションサーバ１７０に送信されうる。
【００５９】
[0066]上述されたように、ここに説明されている方法は、アプリケーションに依存して様々な手段によってインプリメントされうる。例えば、これらの方法は、ハードウェア、ファームウェア、ソフトウェア、またはそれらの任意の組み合わせにおいてインプリメントされうる。ハードウェアインプリメンテーションの場合、１つまたは複数のプロセッサは、１つまたは複数の特定用途向け集積回路（ＡＳＩＣ）、デジタルシグナルプロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子デバイス、ここに説明されている機能を遂行するように設計された他の電子ユニット、またはそれらの組み合わせ内においてインプリメントされうる。
【００６０】
[0067]ファームウェアおよび／またはソフトウェアを伴うインプリメンテーションの場合、方法は、ここに説明されている別個の機能を遂行するモジュール（例えば、プロシージャ、機能、等）でインプリメントされうる。命令を有形に具現化する任意の機械可読媒体は、ここに説明されている方法をインプリメントする際に使用されうる。例えば、ソフトウェアコードは、メモリ中に記憶され、および１つまたは複数のプロセッサユニットによって実行されえ、プロセッサユニットに、ここに開示されているアルゴリズムを遂行するようにプログラムされた特殊用途コンピュータとして動作することを行わせる。メモリは、プロセッサユニット内部またはプロセッサユニット外部においてインプリメントされうる。ここに使用される場合、「メモリ」という用語は、任意のタイプの長期、短期、揮発性、不揮発性、または他のメモリを指し、任意の特定のタイプのメモリまたはメモリの数、あるいはメモリが記憶される媒体のタイプに限定されるべきではない。
【００６１】
[0068]ファームウェアおよび／またはソフトウェアにおいてインプリメントされる場合、機能は、非一時的コンピュータ可読記憶媒体上に１つまたは複数の命令またはコードとして記憶されうる。例は、データ構造を用いて符号化されたコンピュータ可読媒体とコンピュータプログラムを用いて符号化されたコンピュータ可読媒体とを含む。コンピュータ可読媒体は、物理的コンピュータ記憶媒体を含む。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置、半導体記憶装置、または他の記憶デバイス、あるいはデータ構造または命令の形態で所望されるプログラムコードを記憶するために使用されることができ、且つコンピュータによってアクセスされることができる任意の他の媒体を備えることができ、ディスク（disk）およびディスク（disc）は、ここに使用される場合、コンパクトディスク（disc）（ＣＤ）、レーザーディスク（disc）、光ディスク（disc）、デジタル多用途ディスク（disc）（ＤＶＤ）、フロッピーディスク（disk）、およびＢｌｕ−ｒａｙディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれるべきである。
【００６２】
[0069]コンピュータ可読記憶媒体上への記憶に加えて、命令および／またはデータは、通信装置中に含まれる送信媒体上における信号として提供されうる。例えば、通信装置は、命令およびデータを示す信号を有するトランシーバを含みうる。命令およびデータは、非一時的コンピュータ可読媒体、例えば、メモリ７７０上に記憶され、および１つまたは複数のプロセッサに、ここに開示されているアルゴリズムを遂行するようにプログラムされた特殊用途コンピュータとして動作することを行わせるように構成される。すなわち、通信装置は、開示されている機能を遂行するための情報を示す信号を有する送信媒体を含む。１回目では、通信装置中に含まれる送信媒体は、開示されている機能を遂行するための情報の第１の部分を含みえ、その一方で２回目では、通信装置中に含まれる送信媒体は、開示されている機能を遂行するための情報の第２の部分を含みうる。
【００６３】
[0070]「一例」、「ある例」、「ある特定の例」、または「例証的なインプリメンテーション」へのこの明細書全体を通じた参照は、特徴および／または例に関連して説明されている特定の特徴、構造、または特性が、特許請求される主題のうちの少なくとも１つの特徴および／または例に含まれうることを意味する。このことから、この明細書全体を通じた様々な場所における「一例では」、「ある例」、「ある特定の例では」または「ある特定のインプリメンテーションでは」というフレーズ、あるいは他の同様のフレーズの出現は、必ずしも全てが同じ特徴、例、および／または限定を指しているわけではない。さらに、特定の特徴、構造、または特性は、１つまたは複数の例および／または特徴において組み合わされうる。
【００６４】
[0071]ここに含まれている詳細な説明のいくつかの部分は、特定の装置あるいは特殊用途コンピューティングデバイスまたはプラットフォームのメモリ内に記憶された２値デジタル信号に対する動作のアルゴリズムまたは記号表現（symbolic representations）の観点から提示されている。この特定の明細書のコンテキストでは、特定の装置という用語または同様のものは、それがプログラムソフトウェアからの命令に準じて特定の動作を遂行するようにプログラムされると、汎用コンピュータを含む。アルゴリズム記述または記号表現は、信号処理または関連技術における当業者によって、他の当業者に彼らの研究の内容（the substance of their work）を伝達するために使用される技法の例である。アルゴリズムはここで、および概して、所望される結果につながる首尾一貫したシーケンス（a self-consistent sequence）の動作または同様の信号処理であると見なされる。このコンテキストでは、動作または処理は、物理量の物理的操作を伴う。典型的に、ただ必ずしもではないが、そのような量は、記憶、転送、組み合わせ、比較、またはそうでない場合は操作されることが可能である電気信号または磁気信号の形態をとりうる。主に共通使用の理由により、そのような信号をビット、データ、値、要素、シンボル、文字、用語、番号、数字、または同様のものと呼ぶことは時に便利であることが証明されている。しかしながら、これらまたは同様の用語の全ては、適切な物理量と関連付けられるべきであり、単に便利なラベルに過ぎないことが理解されるべきである。そうでないと具体的に記載されない限り、ここでの論述から明らかであるように、この明細書全体を通じて、「処理する」、「計算する」、「算出する」、「決定する」、または同様のもののような用語を利用する論述は、特殊用途コンピュータ、特殊用途コンピューティング装置または同様の特殊用途電子コンピューティングデバイスのような特定の装置のアクションまたはプロセスを指すことが認識される。この明細書のコンテキストでは、したがって、特殊用途コンピュータまたは同様の特殊用途電子コンピューティングデバイスは、特殊用途コンピュータまたは同様の特殊用途電子コンピューティングデバイスのメモリ、レジスタ、または他の情報記憶デバイス、送信デバイス、またはディスプレイデバイス内の物理的電子量または磁気量として典型的に表される信号を操作または変換することが可能である。
【００６５】
[0072]先行する詳細な説明では、数多くの特定の詳細が、特許請求される主題の完全な理解を提供するために記載されてきた。しかしながら、特許請求される主題は、これらの具体的な詳細なしに実施されうることが当業者によって理解されるであろう。他の事例では、当業者によって知られているであろう方法および装置は、特許請求される主題を曖昧にしないように、詳細には説明されていない。
【００６６】
[0073]「および」、「または」、ならびに「および／または」という用語は、ここに使用される場合、そのような用語が使用されるコンテキストに少なくとも部分的に依存することもまた予想される多様な意味を含みうる。典型的に、「または」がＡ、Ｂ、またはＣのようなリストを関連付けるために使用される場合、包括的な意味で使用されるならＡ、Ｂ、およびＣを、ならびに排他的な意味で使用されるならＡ、Ｂ、またはＣを意味することを意図される。加えて、「１つまたは複数」という用語は、ここに使用される場合、単数形で任意の特徴、構造、または特性を説明するために使用されうるか、あるいは複数の特徴、構造、または特性、あるいはそれらの何らかの他の組み合わせを説明するために使用されうる。しかし、これは単に、例示的な例に過ぎず、特許請求される主題は、この例に限定されないことに留意されたい。
【００６７】
[0074]実例的な特徴であると現在見なされているものが例示および説明されてきたが、特許請求される主題から逸脱することなしに、様々な他の修正がなされえ、同等物が代用されうることが当業者によって理解されるであろう。加えて、ここに説明されている中心的な概念から逸脱することなしに、特許請求される主題の教示に特定の状況を適合させるために、多くの修正がなされうる。
【００６８】
[0075]したがって、特許請求される主題は、開示されている特定の例に限定されないが、そのような特許請求される主題はまた、添付された特許請求の範囲内に含まれる全ての態様およびそれらの同等物を含みうることが意図される。
【図１】
2019532575.tif 000003
【図２】
2019532575.tif 000004
【図３】
2019532575.tif 000005
【図４】
2019532575.tif 000006
【図５】
2019532575.tif 000007
【図６】
2019532575.tif 000008
【図７】
2019532575.tif 000009
【図８】
2019532575.tif 000010
【国際調査報告】
2019532575.tif 000011
2019532575.tif 000012
2019532575.tif 000013